(57)【要約】【課題】小型化を図り、かつ、ストロボ撮影時に良好な照射光が得られる撮像装置を提供する。【解決手段】本発明の撮像装置は、撮影位置と沈胴位置を切り替えることによりレンズ前面を開閉するバリア羽根１４を備えるレンズ鏡筒２を搭載する。そして、バリア羽根１４の開閉時の可動範囲以外のスペースに光源（ＬＥＤ９）を配置する。【選択図】図３
2008175970.tif 000002
【特許請求の範囲】
【請求項１】
撮影位置と沈胴位置を切り替えることによりレンズ前面を開閉するバリア羽根を備えるレンズ鏡筒を搭載する撮像装置において、
前記バリア羽根の開閉時の可動範囲以外のスペースに光源を配置することを特徴とする撮像装置。
【請求項２】
撮影位置と沈胴位置を切り替えることによりレンズ前面を開閉するバリア羽根を備えるレンズ鏡筒を搭載する撮像装置において、
前記バリア羽根が閉じられている時には前記バリア羽根に被覆され、前記バリア羽根が開かれている時には前記バリア羽根から露出される位置に光源を配置することを特徴とする撮像装置。
【請求項３】
前記光源は、発光ダイオードであることを特徴とする請求項１または２記載の撮像装置。
【請求項４】
前記発光ダイオードはストロボ光源であることを特徴とする請求項３記載の撮像装置。
【請求項５】
前記発光ダイオードはＡＦ補助光源であることを特徴とする請求項３記載の撮像装置。
【請求項６】
前記発光ダイオードはマクロ撮影時のライト光源であることを特徴とする請求項３記載の撮像装置。
【請求項７】
前記レンズ鏡筒周囲近傍にストロボ発光部を備えることを特徴とする請求項１または２記載の撮像装置。
【請求項８】
レンズ前面を開閉するバリア羽根を備える電子機器において、
前記バリア羽根の開閉時の可動範囲以外のスペースに光源を配置することを特徴とする電子機器。
【請求項９】
レンズ前面を開閉するバリア羽根を備える電子機器において、
前記バリア羽根が閉じられている時には前記バリア羽根に被覆され、前記バリア羽根が開かれている時には前記バリア羽根から露出される位置に光源を配置することを特徴とする電子機器。
【発明の詳細な説明】
【技術分野】
【０００１】
本発明は、撮像装置及び電子機器に関する。
【背景技術】
【０００２】
従来のデジタルカメラ等の撮像装置の照明装置においては、キセノン（Ｘｅ）管を発光させるストロボ装置が一般的に用いられている。近年、カメラの小型化、薄型化のために、鏡筒とストロボをより近接させることで、カメラ自体の長辺及び短辺方向の大きさを決めている。
【０００３】
しかし、最近では鏡筒の高倍率化により鏡筒径が大きくなったため、小型化するためにはストロボの開口を小さくせざる得なくなり、その結果、ストロボ光の到達距離が短くなっている。また、最近では発光ダイオード（以下ＬＥＤと称する）も高輝度化され、小型でノイズも少なく、かつローコストであることから各種照明に利用されるようになってきている。
【０００４】
また、ストロボ光源として使用するために、発光ダイオードを、放熱効果を有する金属製のリング状の化粧板部材に取り付け、この化粧板部材を撮影レンズ鏡筒の前面全体に取り付けた撮像装置もある（例えば、特許文献１参照）。
【特許文献１】特開２００６−１５４５２３号公報（第１０頁、図１）
【発明の開示】
【発明が解決しようとする課題】
【０００５】
しかし、従来のような、キセノン（Ｘｅ）管で発光させるストロボ構成で到達距離を確保しようとするとストロボの開口及び奥行きを大きく取らなければならないため、カメラ自体が大きくなってしまうと言う問題がある。
【０００６】
また、小型化のため鏡筒とストロボが近接されている場合、鏡筒の繰り出された時にストロボ光が鏡筒外径部に遮断されてしまい、撮影画角に対して十分な照射が行えず、撮影画角の左右の隅に影ができてしまうと言う欠点がある。
【０００７】
また、ストロボ光にＬＥＤを利用した場合、近年、ＬＥＤが高輝度化されているとはいえ、十分な到達距離を確保する光量を得ることはでききないと言う問題もある。
【０００８】
また、上記特許文献１の構成では、鏡筒前面の化粧板部にＬＥＤを配置しているため、鏡筒光軸方向に厚くなり、その分鏡筒の沈胴長が増加することによってカメラ本体の厚みが増えてしまうと言う欠点がある。
【０００９】
更に、ストロボ光源としてＬＥＤを複数個使用しているので、十分な発光量を得るためにはＬＥＤに多くの電流を流さなければならず、結果的に消費電流が増え、撮影枚数が限定されると言う問題もある。
【００１０】
本発明の目的は、小型化を図り、かつ、ストロボ撮影時に良好な照射光が得られる撮像装置を提供することにある。
【課題を解決するための手段】
【００１１】
上記目的を達成するために、請求項１記載の撮像装置は、撮影位置と沈胴位置を切り替えることによりレンズ前面を開閉するバリア羽根を備えるレンズ鏡筒を搭載する撮像装置において、前記バリア羽根の開閉時の可動範囲以外のスペースに光源を配置することを特徴とする。
【００１２】
請求項２記載の撮像装置は、撮影位置と沈胴位置を切り替えることによりレンズ前面を開閉するバリア羽根を備えるレンズ鏡筒を搭載する撮像装置において、前記バリア羽根が閉じられている時には前記バリア羽根に被覆され、前記バリア羽根が開かれている時には前記バリア羽根から露出される位置に光源を配置することを特徴とする。
【００１３】
請求項８記載の電子機器は、レンズ前面を開閉するバリア羽根を備える電子機器において、前記バリア羽根の開閉時の可動範囲以外のスペースに光源を配置することを特徴とする。
【００１４】
請求項９記載の電子機器は、レンズ前面を開閉するバリア羽根を備える電子機器において、前記バリア羽根が閉じられている時には前記バリア羽根に被覆され、前記バリア羽根が開かれている時には前記バリア羽根から露出される位置に光源を配置することを特徴とする。
【発明の効果】
【００１５】
本発明の撮像装置は、撮影位置と沈胴位置を切り替えることによりレンズ前面を開閉するバリア羽根を備えるレンズ鏡筒を搭載する。そして、バリア羽根の開閉時の可動範囲以外のスペースに光源を配置する。
【００１６】
また、本発明の撮像装置は、撮影位置と沈胴位置を切り替えることによりレンズ前面を開閉するバリア羽根を備えるレンズ鏡筒を搭載する。そして、バリア羽根が閉じられている時にはバリア羽根に被覆され、バリア羽根が開かれている時にはバリア羽根から露出される位置に光源を配置する。
【００１７】
この構成により、小型化を図り、かつ、ストロボ撮影時に良好な照射光が得られる。
【発明を実施するための最良の形態】
【００１８】
以下、本発明の実施の形態を図面を参照しながら詳細に説明する。
【００１９】
図１は、本発明の実施の形態に係る撮像装置としての電子スチルカメラの外観斜視図である。
【００２０】
図１において、電子スチルカメラは、カメラ筐体１、撮影光学系を構成しているレンズ鏡筒２、レンズ鏡筒２の撮影光学系に連動して所定の位置で被写体像を観察するためのファインダ３は、電源ボタン４、レリーズボタン５、ストロボ６を備える。また、カメラ筐体１の図示しない背面部にはファインダ接眼部や液晶表示パネル、操作キー等が配設される。
【００２１】
図２は、図１における、第１の実施の形態に係るレンズ鏡筒のバリア羽根の沈胴位置を示す正面図である。図３は、図１における、第１の実施の形態に係るレンズ鏡筒のバリア羽根の撮影位置を示す正面図である。図４は、図１における、第１の実施の形態に係るレンズ鏡筒の分解斜視図である。図５は、図１における、第１の実施の形態に係るレンズ鏡筒の１群レンズ鏡筒部分を中心に示す分解斜視図である。
【００２２】
図２を中心として、バリア装置の概略動作と構成を併せて説明する。
【００２３】
１群レンズ鏡筒１１は、１群レンズ０１を保持しており、撮影者の操作に応じて光軸方向に沿って沈胴繰出しする。２群レンズ鏡筒１２は、２群レンズ０２を保持しており、撮影者の操作に応じて１群レンズ鏡筒１１と同様に光軸方向に沿って沈胴繰出しする。
【００２４】
直進規制筒１３はで、外周に形成された溝部１３ａに１群レンズ鏡筒１１内周に形成されたキーが嵌合するよって１群レンズ鏡筒１１の回転を規制する。また、貫通溝１３ｂに２群レンズ鏡筒１２のフォロアピン１２ａが嵌合することによって、２群レンズ鏡筒１２の回転を規制する。
【００２５】
貫通溝１３ｂは１２０°等分で３箇所に設けられている。直進規制筒１３の貫通溝１３ｂ先端部には、部品の剛性を高めるためのアーチ状の補強形状部１３ｃが形成されている。
【００２６】
回転筒１８において、内周に形成された１群カム１８ａには、１群レンズ鏡筒１１の外周に設けられた１群フォロアピン１１ａが係合し、２群カム１８ｂには、２群レンズ鏡筒１２の外周に設けられた２群フォロアピン１２ａが係合している。
【００２７】
回転筒１８と直進規制筒１３は回転自由に結合しており、回転筒１８が不図示のモータによって回転すると、直進規制筒１３によって回転を規制された１群レンズ鏡筒１１と２群レンズ鏡筒１２がカム溝の軌跡に従って光軸方向に移動する。
【００２８】
１群レンズ鏡筒１１の先端には、開閉可能に軸支されたバリア羽根１４と、バリア羽根１４を駆動するバリア駆動部材１５、及び撮影用開口部１６ａが形成されたバリアカバー１６が設けられ、沈胴時にはバリア羽根１４によって撮影用開口部１６ａが覆われている。
【００２９】
バリア駆動部材１５は、１群レンズ鏡筒１１に対し回動可能に支持されている。バリア羽根１４とバリア駆動部材１５の間には、引張りコイルバネがバリア駆動バネ１７として設けられている。バリア駆動バネ１７は、バリア羽根１４がバリア駆動部材１５に当接する方向に付勢しており、これによって、バリア駆動部材１５の回動とバリア羽根１４の開閉が連動する。
【００３０】
バリア駆動部材１５と直進規制筒１３には、それぞれカム面１５ｄ、１３ｄが形成されている。レンズ鏡筒２が沈胴するとカム面同士が当接し、バリア駆動バネ１７をチャージしながらバリア駆動部材１５を、図４における矢印Ａ方向に強制的に回動する。バリア駆動部材１５は、「バリア閉じ位相」まで回動されてバリア羽根１４を閉じる。
【００３１】
レンズ鏡筒１１が繰出すと、当接しているカム面同士が離れ、バリア駆動バネ１７のチャージを開放しながらバリア駆動部材１５が図４における矢印Ｂ方向に回動する。バリア駆動部材１５は、「バリア開き位相」まで回動してバリア羽根１４を開く。
【００３２】
ここで、開いているバリア羽根１４が閉じないよう拘束してレンズ鏡筒１１が沈胴すると、バリア駆動バネ１７をチャージしながらバリア駆動部材１５が「バリア閉じ位相」まで回動する。そして、その状態でバリア羽根１４の拘束を解除すると、バリア駆動バネ１７のチャージを開放しながらバリア羽根１４が閉じる。
【００３３】
さらに、沈胴時にバリア羽根１４を強制的に開くと、バリア駆動バネ１７がチャージされながらバリア羽根１４が開き、バリア羽根１４の強制開きを解除すると、バリア駆動バネ１７のチャージを開放しながらバリア羽根１４が閉じる。
【００３４】
次に、図５を中心にして、バリア内部の構成を説明する。
【００３５】
まず、フレキシブルプリント基板１０上にＬＥＤ９が半田付け等で実装されており、フレキシブルプリント基板１０が、１群レンズ鏡筒１１前面部に形成されている面１１ｃに不図示のボス等の位置決め手段により規制され接着等の係止手段で保持されている。
【００３６】
さらに、フレキシブルプリント基板１０は、１群レンズ鏡筒１１内周に形成された溝１１ｂを通って不図示のシステム動作基板上に実装されているコネクタに接続或いは半田付け等で接続されている。
【００３７】
また、バリアカバー１６上に形成されている穴１６ｂにＬＥＤ窓８が嵌合され、接着等の係止手段で保持され、バリアカバー１６と１群レンズ鏡筒１１はそれぞれ不図示の係止手段で保持されている。さらに、その上からレンズ鏡筒カバー７に形成されている穴７ａがＬＥＤ窓８と嵌合して、１群レンズ鏡筒１１と接着等の係止手段で保持される。
【００３８】
本実施の形態では、レンズ鏡筒カバー７とバリアカバー１６を別体としているが一体にしてもよい。また、バリアカバー１６とＬＥＤ窓８を別体としているが窓部だけを抜いた印刷等で一体にしてもよい。
【００３９】
次に、図２、図３を中心にしてバリア羽根とＬＥＤの位置関係を説明する。
【００４０】
図２に示す沈胴状態では、レンズ鏡筒１１が沈胴されており、バリア駆動部材１５と直進規制筒１３のそれぞれカム面１５ｄ、１３ｄ同士が当接し、バリア駆動バネ１７をチャージしながらバリア駆動部材１５を矢印Ａ方向に強制的に回動する。バリア駆動部材１５は、「バリア閉じ位相」まで回動されてバリア羽根１４を閉じている。
【００４１】
また、図３に示す撮影状態では、レンズ鏡筒１１が繰出されており、当接しているバリア駆動部材１５と直進規制筒１３のそれぞれカム面１５ｄ、１３ｄ同士が離れ、バリア駆動バネ１７のチャージを開放しながらバリア駆動部材１５が矢印Ｂ方向に回動する。バリア駆動部材１５は、「バリア開き位相」まで回動してバリア羽根１４を開いている。
【００４２】
このとき、バリア羽根１４は、Ｃを回動中心としてＤの軌跡を移動するため、ＬＥＤ９はバリア羽根１４の開閉によって塞がれない位置となっているので、いつでも発光が可能である。
【００４３】
本発明の第１の実施の形態においては、ＬＥＤ９はレンズ鏡筒１１上に配置しているが、バリア駆動部材１５上に配置させても同様の効果が得られる。また、バリア羽根１４は２枚構成となっているが、バリア羽根１４が多数枚の構成になっても同様の効果が得られる。
【００４４】
また、本発明の第１の実施の形態においては、鏡筒周辺部にストロボ６を配設しているので、万が一このストロボ光が鏡筒外径部に遮断されてしまう場合に、ＬＥＤ９をストロボ光源として併用すれば、撮影画角に対して十分な照射が可能となる。また、ストロボ光源だけではなく別の光源としてＡＦ補助光やマクロ撮影時のライト光源に使用すれば、カメラ本体に余計なスペースが必要としないため、カメラの小型化にもつながる効果もある。
【００４５】
図６は、図１における、第２の実施の形態に係るレンズ鏡筒のバリア羽根の沈胴位置を示す正面図である。図７は、図１における、第２の実施の形態に係るレンズ鏡筒のバリア羽根の撮影位置を示す正面図である。図８は、図１における、第２の実施の形態に係るレンズ鏡筒の１群レンズ鏡筒部分を中心に示す分解斜視図である。
【００４６】
本発明の第２の実施の形態においては、ＬＥＤのレイアウト位置を変更させているので、詳細な構成は、本発明の第１の実施の形態を応用することにより割愛する。
【００４７】
８を中心としてバリア内部の構成と動作を併せて説明する。
【００４８】
フレキシブルプリント基板１０上にＬＥＤ９が半田付け等で実装されており、フレキシブルプリント基板１０が、１群レンズ鏡筒１１前面部に形成されている面１１ｃに不図示のボス等の位置決め手段により規制され、接着等の係止手段で保持されている。
【００４９】
さらに、フレキシブルプリント基板１０は、１群レンズ鏡筒１１内周に形成された溝１１ｂを通って不図示のシステム動作基板上に実装されているコネクタに接続或いは半田付け等で接続されている。
【００５０】
また、バリアカバー１６上に形成されている切欠き穴１６ｂにＬＥＤ窓８が嵌合され、接着等の係止手段で保持され、バリアカバー１６と１群レンズ鏡筒１１はそれぞれ不図示の係止手段で保持されている。さらに、その上からレンズ鏡筒カバー７が１群レンズ鏡筒１１と接着等の係止手段で保持される。
【００５１】
本発明の第２の実施の形態においても、上述した第１の実施の形態と同様に、レンズ鏡筒カバー７とバリアカバー１６を別体としているが一体にしてもよい。また、バリアカバー１６とＬＥＤ窓８を別体としているが窓部だけを抜いた印刷等で一体にしても同様の効果が得られる。
【００５２】
図６に示す沈胴状態では、ＬＥＤ９はバリア羽根１４に塞がれており、図７に示す撮影状態において、バリア羽根１４が回動されるとＬＥＤ９を露出させる位置となっているので、撮影時は発光し、非撮影時にはＬＥＤ９を保護することが可能である。
【００５３】
本発明の第２の実施の形態においても、上述した第１の実施の形態と同様に、ＬＥＤ９はレンズ鏡筒１１上に配置しているが、バリア駆動部材１５上に配置させても同様の効果が得られる。
【００５４】
本発明の第２の実施の形態においても、上述した第１の実施の形態と同様に、バリア羽根１４は２枚構成となっているが、バリア羽根が多数枚の構成になっても同様の効果が得られる。
【産業上の利用可能性】
【００５５】
本発明は、１眼レフカメラ、レンズシャッタカメラ、ビデオカメラ、デジタルカメラ等種々の形態のカメラ、更にはカメラ以外の光学機器やその他の電子機器に適用できる。
【図面の簡単な説明】
【００５６】
【図１】本発明の実施の形態に係る撮像装置としての電子スチルカメラの外観斜視図である。
【図２】図１における、第１の実施の形態に係るレンズ鏡筒のバリア羽根の沈胴位置を示す正面図である。
【図３】図１における、第１の実施の形態に係るレンズ鏡筒のバリア羽根の撮影位置を示す正面図である。
【図４】図１における、第１の実施の形態に係るレンズ鏡筒の分解斜視図である。
【図５】図１における、第１の実施の形態に係るレンズ鏡筒の１群レンズ鏡筒部分を中心に示す分解斜視図である。
【図６】図１における、第２の実施の形態に係るレンズ鏡筒のバリア羽根の沈胴位置を示す正面図である。
【図７】図１における、第２の実施の形態に係るレンズ鏡筒のバリア羽根の撮影位置を示す正面図である。
【図８】図１における、第２の実施の形態に係るレンズ鏡筒の１群レンズ鏡筒部分を中心に示す分解斜視図である。
【符号の説明】
【００５７】
１  カメラ筐体
２  レンズ鏡筒
３  ファインダ
４  電源ボタン
５  レリーズボタン
６  ストロボ 
７  レンズ鏡筒カバー
８  ＬＥＤ窓
９  ＬＥＤ
１０  フレキシブルプリント基板
１１  １群レンズ鏡筒
１２  ２群レンズ鏡筒
１３  直進規制筒
１４  バリア羽根
１５  バリア駆動部材
１６  バリアカバー
１７  バリア駆動バネ
１８  回転筒
【図１】
2008175970.tif 000003
【図２】
2008175970.tif 000004
【図３】
2008175970.tif 000005
【図４】
2008175970.tif 000006
【図５】
2008175970.tif 000007
【図６】
2008175970.tif 000008
【図７】
2008175970.tif 000009
【図８】
2008175970.tif 000010